(57)【要約】【課題】  視認性が高いアイコン表示が可能なナビゲーション装置を提供すること。【解決手段】  表示部を有するナビゲーション装置１０において、表示部の画面の縁部に沿ってアイコンを表示するアイコン表示手段（ＣＰＵ１１，ＬＣＤ１８）と、アイコンが操作された場合には、当該アイコンを画面中央に向かって移動させる移動手段（ＣＰＵ１１）と、移動手段によって移動されたアイコンの周辺部に所定の情報を表示する情報表示手段（ＣＰＵ１１，ＬＣＤ１８）と、を有する。【選択図】  図１
2005207976.tif 000002
【特許請求の範囲】
【請求項１】
表示部を有するナビゲーション装置において、
上記表示部の画面の縁部に沿ってアイコンを表示するアイコン表示手段と、
上記アイコンが操作された場合には、当該アイコンを画面中央に向かって移動させる移動手段と、
上記移動手段によって移動されたアイコンの周辺部に所定の情報を表示する情報表示手段と、
を有することを特徴とするナビゲーション装置。
【請求項２】
前記情報表示手段は、前記移動手段によって移動されたアイコンの周辺に枠を表示し、当該枠の内部に所定の情報を表示することを特徴とする請求項１記載のナビゲーション装置。
【請求項３】
前記移動手段は、前記アイコンを移動させて表示するとともに、移動前から移動後の前記アイコンの表示領域を含む枠を表示し、その枠の内部に所定の情報を表示することを特徴とする請求項２記載のナビゲーション装置。
【請求項４】
前記情報表示手段によって情報が表示された後に、当該アイコンが再度操作された場合には、さらに詳細な情報を表示する詳細情報表示手段をさらに有することを特徴とする請求項１記載のナビゲーション装置。
【請求項５】
当該ナビゲーション装置が載置された移動体が移動中である場合には、前記詳細情報表示手段の動作を停止する停止手段をさらに有することを特徴とする請求項４記載のナビゲーション装置。
【請求項６】
表示部を有するナビゲーション装置での情報呈示方法において、
上記表示部の画面の縁部に沿ってアイコンを表示するアイコン表示ステップと、
上記アイコンが操作された場合には、当該アイコンを画面中央に向かって移動させる移動ステップと、
上記移動ステップによって移動されたアイコンの周辺部に所定の情報を表示する情報表示ステップと、
を有することを特徴とする情報呈示方法。
【請求項７】
表示部を有するナビゲーション装置において実行されるコンピュータ読み取り可能なナビゲーション用プログラムにおいて、
コンピュータを、
上記表示部の画面の縁部に沿ってアイコンを表示するアイコン表示手段、
上記アイコンが操作された場合には、当該アイコンを画面中央に向かって移動させる移動手段、
上記移動手段によって移動されたアイコンの周辺部に所定の情報を表示する情報表示手段、
として機能させることを特徴とするコンピュータ読み取り可能なナビゲーション用プログラム。
【発明の詳細な説明】
【技術分野】
【０００１】
本発明は、ナビゲーション装置、情報呈示方法、およびナビゲーション用プログラムに関する。
【背景技術】
【０００２】
ナビゲーション装置は、ＧＰＳ（Global Positioning Systems）衛星から送信される信号を受信して自車の現在位置を検出するとともに、各種センサにより検出される自車に関する情報およびナビゲーション装置の記録装置に記録されている地図情報に基づいて、自車の現在位置と地図データの道路形状とをマッチングさせ、表示部に表示された地図上に自車の現在位置を表示する。
【０００３】
このようなナビゲーション装置においては、地図情報のみならず、道路名、交差点名、交通規制情報、または、各種アイコンを画面上に表示させる必要がある。しかしながら、ナビゲーション装置に具備されている表示装置は、設置スペースの関係から、例えば、７インチ程度の小型である場合が多いため、複数の情報が表示されると、個々の情報の視認性が低下してしまう。
【０００４】
そこで、特許文献１では、ポインティングカーソルの近傍に表示される道路に対応する道路ＩＤを取得し、道路詳細情報データベースから、取得した道路ＩＤに対応する道路詳細情報を取得して、取得した道路詳細情報を、地図上にポップアップ表示させる技術が提案されている。
【０００５】
【特許文献１】特開２００３−１１４１２９号公報（請求の範囲、要約書）
【発明の開示】
【発明が解決しようとする課題】
【０００６】
ところで、特許文献１に示す技術では、ポインティングカーソルにより選択された部位に近接してポップアップ表示をしているため、この技術を配列されたアイコンの付属情報の表示に適用した場合、近隣のアイコンが、選択されたアイコンに隠れる可能性があり、視認性が低くなってしまう可能性がある。
【０００７】
本発明は、上記の事情に基づきなされたもので、その目的とするところは、視認性が高いアイコン表示が可能なナビゲーション装置、情報呈示方法、およびナビゲーション用プログラムを提供することを目的とする。
【課題を解決するための手段】
【０００８】
上述の目的を達成するため、本発明は、表示部を有するナビゲーション装置において、表示部の画面の縁部に沿ってアイコンを表示するアイコン表示手段と、アイコンが操作された場合には、当該アイコンを画面中央に向かって移動させる移動手段と、移動手段によって移動されたアイコンの周辺部に所定の情報を表示する情報表示手段と、を有している。
【０００９】
また、他の発明は、上述の発明に加えて、情報表示手段は、移動手段によって移動されたアイコンの周辺に枠を表示し、当該枠の内部に所定の情報を表示するようにしている。
【００１０】
また、他の発明は、上述の発明に加えて、移動手段は、アイコンを移動させて表示するとともに、移動前から移動後のアイコンの表示領域を含む枠を表示し、その枠の内部に所定の情報を表示するようにしている。
【００１１】
また、他の発明は、上述の発明に加えて、情報表示手段によって情報が表示された後に、当該アイコンが再度操作された場合には、さらに詳細な情報を表示する詳細情報表示手段をさらに有するようにしている。
【００１２】
また、他の発明は、上述の各発明に加えて、当該ナビゲーション装置が載置された移動体が移動中である場合には、詳細情報表示手段の動作を停止する停止手段をさらに有するようにしている。
【００１３】
また、本発明は、表示部を有するナビゲーション装置での情報呈示方法において、表示部の画面の縁部に沿ってアイコンを表示するアイコン表示ステップと、アイコンが操作された場合には、当該アイコンを画面中央に向かって移動させる移動ステップと、移動ステップによって移動されたアイコンの周辺部に所定の情報を表示する情報表示ステップと、を有するようにしている。
【００１４】
また、本発明は、表示部を有するナビゲーション装置において実行されるコンピュータ読み取り可能なナビゲーション用プログラムにおいて、コンピュータを、表示部の画面の縁部に沿ってアイコンを表示するアイコン表示手段、アイコンが操作された場合には、当該アイコンを画面中央に向かって移動させる移動手段、移動手段によって移動されたアイコンの周辺部に所定の情報を表示する情報表示手段、として機能させるようにしている。
【発明の効果】
【００１５】
本発明は、視認性が高いアイコン表示が可能なナビゲーション装置、情報呈示方法、およびナビゲーション用プログラムを提供することができる。
【発明を実施するための最良の形態】
【００１６】
以下、本発明の一実施の形態について図に基づいて説明する。
【００１７】
図１は、本発明の実施の形態に係るナビゲーション装置の構成例を示すブロック図である。この図に示すように、本発明の実施の形態に係るナビゲーション装置１０は、ＣＰＵ（Central Processing Unit）１１、ＲＯＭ（Read Only Memory）１２、ＲＡＭ（Random Access Memory）１３、ＨＤＤ（Hard Disk Drive）１４、ビデオ回路１５、Ｉ／Ｆ（Interface）１６、バス１７、ＬＣＤ（Liquid Crystal Display）１８、入力装置、１９、センサ２０、ＧＰＳ装置２１、および音声出力装置２２を有している。
【００１８】
ここで、アイコン表示手段の一部であり、移動手段であり、情報表示手段の一部であり、詳細情報表示手段の一部であり、かつ停止手段であるＣＰＵ１１は、ＨＤＤ１４に格納されているプログラムに応じて、各種演算処理を実行するとともに、装置の各部を制御する中央処理装置である。
【００１９】
ＲＯＭ１２は、ＣＰＵ１１が実行するプログラムを格納した半導体記憶装置である。ＲＡＭ１３は、ＣＰＵ１１が実行するプログラムを一時的に記憶する半導体記憶装置である。
【００２０】
ＨＤＤ１４は、ＣＰＵ１１が実行するプログラムを格納するとともに、地図情報を格納している。ビデオ回路１５は、ＣＰＵ１１から供給された描画コマンドに応じた描画処理を実行するとともに、描画処理の結果として得られた画像を映像信号に変換してＬＣＤ１８へ出力する。
【００２１】
Ｉ／Ｆ１６は、入力装置１９、センサ２０、およびＧＰＳ装置２１からの出力される信号の表現形式を変換して入力するとともに、音声出力装置に対して出力する信号の表現形式を変換する。バス１７は、ＣＰＵ１１、ＲＯＭ１２、ＲＡＭ１３、ＨＤＤ１４、ビデオ回路１５、およびＩ／Ｆ１６を相互に接続し、これらの間で情報の授受を可能とするための信号線群である。
【００２２】
アイコン表示手段の一部であり、移動手段であり、情報表示手段の一部であり、かつ、詳細情報表示手段の一部であるＬＣＤ１８は、ビデオ回路１５から出力される映像信号を表示するための表示装置である。図２は、ＬＣＤ１８の詳細を説明するための図である。この図に示すように、ＬＣＤ１８は、中央に表示部１８ａが配置されており、その周辺には入力装置１９としてのハードウエアボタン１９ｂ〜１９ｇが配置されている。また、表示部１８ａには入力装置１９としてのタッチパネル１９ａが重畳するように配置されているので、表示部１８ａに表示されている画像情報等を参照してタッチパネル１９ａを操作することにより、所望の情報を入力することができる。
【００２３】
この例では、表示部１８ａには、車両の現在地の周辺地図が表示されている。ハードウエアボタン１９ｂは、例えば、音声出力装置２２から出力される音声の音量を調整する場合に操作されるボタンである。ハードウエアボタン１９ｃは、例えば、ＣＤ（Compact Disk（登録商標））の再生を開始する場合に操作されるボタンである。ハードウエアボタン１９ｄは、ポイントメニューを表示する場合に操作されるボタンである。ハードウエアボタン１９ｅは、表示部１８ａの表示される情報を、ナビゲーションまたはＴＶ（テレビジョン映像）のいずれかから選択する場合に操作されるボタンである。ハードウエアボタン１９ｆは、ＣＤ、ＤＶＤ（Digital Versatile Disk）の再生を停止する場合に操作される。ハードウエアボタン１９ｇは、ＤＶＤの再生を開始する場合に操作されるボタンである。
【００２４】
図１に戻って、入力装置１９は、前述したように、ＬＣＤ１８の表示部に重畳するように配置されたタッチパネル１９ａおよびハードウエアボタン１９ｂ〜１９ｇを有しており、操作者の操作に応じた情報を生成して出力する。
【００２５】
センサ２０は、車両の速度を示す車速センサ、車両の各制御軸の角速度を示す角速度センサ、およびサイドブレーキの操作状態を示すサイドブレーキセンサを有している。
【００２６】
ＧＰＳ装置２１は、複数のＧＰＳ人工衛星から発信される情報を利用して、車両の現在位置（緯度・経度・高度）を得る装置である。音声出力装置２２は、ＣＰＵ１１から供給されたデータをＤ／Ａ（Digital to Analog）変換し、音声として出力する。
【００２７】
つぎに、本発明の実施の形態の動作について説明する。なお、以下の動作は、ＣＰＵ１１により、ナビゲーション用プログラムが実行されることにより、実現される。
【００２８】
図３は、アイコンが表示された状態（通常状態）のＬＣＤ１８の表示例を示す図である。なお、この図では、図面を見やすくするために、地図情報を表示しない状態を示しているが、実際には地図情報にアイコンが重畳して表示されている。
【００２９】
図３において、アイコン３０は、方位磁針を模したアイコンであり、地図上における南北方向を指示する。アイコン３１は、渋滞情報を表示する際に操作されるアイコンである。アイコン３２は、ゴール（目的地）に関する情報を表示させる場合に操作されるアイコンである。アイコン３３は、予め登録されている運転者の自宅までの経路を検索する場合に操作されるアイコンである。アイコン３４は、ショートカットを表示する際に操作されるアイコンである。アイコン３５は、ＨＤＤ１４に格納されているＭＰ３（MPEG-1 audio layer 3）ファイル（楽曲ファイル）を再生する場合に操作されるアイコンである。
【００３０】
アイコン３１〜３５は、表示部１８ａの画面の縁部に沿って一列に配列されている。なお、アイコン３１〜３５が表示部１８ａの右部に集中しているのは、操作の対象となるこれらのアイコン３１〜３５を運転者に近い位置に配置することにより、操作性を向上させるためである。また、アイコン３５については頻繁に操作されることが予想されるので、表示部１８ａの隅に配置することにより、運転者が手探りでもアイコン３５を選択することができるようにしている。
【００３１】
図３に示すような画面において、（アイコン３２の表示部分のタッチパネル１９ａが押圧されて）アイコン３２が操作されたとすると、ＣＰＵ１１は、タッチパネル１９ａからの出力を参照し、アイコン３２が操作されたことを検出する。つぎに、ＣＰＵ１１は、アイコン３２がＬＣＤ１８の画面の中央に移動するように処理する。その結果、アイコン３２は、図４に示すように、ＬＣＤ１８の表示部１８ａの中央に向かって表示部１８ａの縁（つまり、アイコン３１〜３５の配列方向）に対して垂直に所定の距離だけ移動する。
【００３２】
つぎに、ＣＰＵ１１は、ＧＰＳ装置２１から出力される情報を参照して自車位置を特定するとともに、図示せぬタイマから現在時刻を取得する。そして、ＣＰＵ１１は、地図情報を参照して、現在地から目的地までの距離を計算する。また、ＣＰＵ１１は、例えば、目的地までの距離をそれまでの平均時速によって当該距離を除算することにより、目的地に到着するまでの時間を算出し、現在時刻に加算して到着予定時刻を算出する。つぎに、ＣＰＵ１１は、ビデオ回路１５に所定の情報を供給して、アイコン３２の周辺に図５に示すような枠３２ａ，３２ｂを表示させるとともに、枠３２ａの内部に以上のようにして得られた目的地までの距離と到着予定時刻を表示させ、枠３２ｂの内部に、アイコン３２の機能を示す情報を表示させる。
【００３３】
この枠３２ａは、アイコン３２が移動した方向の延長上にアイコン３２と同様の幅で表示され、枠３２ｂは、アイコン３２の移動の軌跡を含むように表示される。図５の表示例では、枠３２ｂには、当該アイコンのタイトルとして「ゴール情報」が表示されている。また、枠３２ａには、目的地までの距離が「あと２８ｋｍ」と表示され、その下には到着予定時刻が「到着９：５４」と表示される。
【００３４】
なお、センサ２０が有する車速センサまたはサイドブレーキセンサの出力を参照し、車両が移動中である場合には、運転者が運転中であると考えられるので、目的地までの距離と、到着予定時刻を音声にて出力するようにしてもよい。
【００３５】
このようにして、枠３２ａ，３２ｂが表示された後、一定時間が経過すると枠３２ａ，３２ｂは画面上から消去され、図４の状態を経て図３の状態に復元することになる。
【００３６】
一方、図５に示す状態において、アイコン３２または枠３２ａが再度操作された場合には、ＣＰＵ１１は、現在案内中の目的地に関する情報をＨＤＤ１４から取得し、ビデオ回路１５に供給してＬＣＤ１８に表示させる。その結果、ＬＣＤ１８には、図６に示すような情報が表示される。
【００３７】
図６に示す表示例では、アイコン３２の左側に枠３２ｃが新たに表示され、その下部にはボタン３２ｄが表示されている。枠３２ｃおよびボタン３２ｄは、枠３２ａの位置またはその位置から連続して、アイコン３１〜３５の配列方向に対して平行な方向へ枠３２ａを拡張した形状とされる。枠３２ｃの内部には、目的地の情報が表示されている。具体的には、目的地の名称である「○×電気」が最上部に表示され、その下には、目的地の電話番号、営業時間、および定休日が表示されている。ボタン３２ｄは、目的地のさらに詳細な情報を表示する場合に操作されるボタンである。このボタン３２ｄが操作されると、例えば、目的地の写真等が表示されることになる。なお、車両が移動中である場合には、前述のように表示されている内容を音声によって読み上げるようにしてもよい。また、車両が移動中である場合に、このような詳細な情報が表示されても、運転者は参照することが困難であることが多いので、車両が停車中である場合にのみこのような詳細な情報を表示するようにしてもよい。
【００３８】
このような情報が表示されて、一定時間が経過すると、枠３２ｃおよびボタン３２ｄは画面上から消去され、図４の状態を経て、図３の状態に戻る。
【００３９】
以上のようにアイコン３２が操作された場合には、表示部１８ａの中央に向かってアイコン３２を移動させた後に、目的地までの距離と到着予定時刻が示された枠３２ａが表示されるようにしたので、アイコン３２に対する操作により得られる情報を表示しても、他のアイコン３１，３３〜３５がその表示により隠されることがなく、視認性が向上する。また、通常の状態ではアイコン３２を表示部１８ａの周辺部に配置することができることから、地図情報の視認性を低下させることもない。
【００４０】
また、図５の状態において、アイコン３２または枠３２ａが再度操作された場合には、さらに詳細な情報を表示するようにしたので、運転者の必要に応じて情報を表示することが可能になる。その際にも、枠３２ａから枠のサイズを、アイコンの配列方向に平行な方向に大きくするため、枠３２ａの内容と拡大後の枠３２の内容との関連性を維持しつつ、他のアイコン３１，３３〜３５の視認性を妨げないようにすることができる。
【００４１】
つぎに、アイコン３１について説明する。ＣＰＵ１１が、図示せぬＦＭ（Frequency Modulation）放送受信装置によって受信されたＶＩＣＳ（Vehicle Information and Communication System）情報を参照し、目的地までの経路上に渋滞が発生していることを検出した場合、アイコン３１の画像を切り換え図７に示すようにアイコン３１を強調するための表示（この例では星形の画像３１ａ）を行う。なお、このとき、音声出力装置２２から渋滞が発生している旨を示す音声を出力してもよい。
【００４２】
運転者は、図７に示すような表示によって、目的地までの経路上において渋滞が発生していることを知り、さらに詳細な情報を知るために、アイコン３１を操作したとすると、ＣＰＵ１１は、タッチパネル１９ａの出力を参照してこれを検出する。つぎに、ＣＰＵ１１は、図８に示すように、アイコン３１を表示部１８ａの中央に向かって移動させる。
【００４３】
つぎに、ＣＰＵ１１は、ＶＩＣＳ情報から渋滞の詳細を示す情報を取得し、ビデオ回路１５に供給して表示させる。その結果、ＬＣＤ１８には、図９に示すような情報が表示される。
【００４４】
図９に示す表示例では、アイコン３１の周辺に左右方向（つまり、アイコン３２〜３５の配列とは垂直の方向）に突出した枠３１ｂ，３１ｃが表示されており、枠３１ｃの内部にはタイトルとして「渋滞情報」が表示されている。また、枠３１ｂの内部には渋滞情報として「５ｋｍ先渋滞が発生」が表示されている。なお、このとき、枠３１ｂ，３１ｃに表示されている内容を音声出力装置２２から音声として出力するようにしてもよい。
【００４５】
図９に示す表示画面において、アイコン３１または枠３１ｂ，３１ｃに対して、一定時間操作がなされなかった場合には、図８に示す状態を経て図７の状態に戻る。また、図９に示す表示画面において、アイコン３１または枠３１ｂが再度操作された場合には、ＣＰＵ１１は、ＶＩＣＳ情報からさらに詳細な渋滞情報を抽出し、ビデオ回路１５に供給して表示させる。その結果、ＬＣＤ１８には、図１０に示すような情報が表示される。この表示例では、アイコン３１の左側には枠３１ｄが表示され、その下にはボタン３１ｅが表示されている。枠３１ｄの内側には、タイトルとして「渋滞情報」が表示され、その下には渋滞情報として「５ｋｍ先に渋滞が発生」、「通過時間：５０分」、および「原因：事故処理」が表示されている。また、ボタン３１ｅは渋滞を回避するために目的地までの再度の検索を実行する場合に操作される。なお、これらの情報を音声出力装置２２から音声として出力するようにしてもよい。
【００４６】
以上のように、渋滞が発生している場合には、アイコン３１を強調表示し、操作がなされた場合にはアイコン３１が表示部１８ａの内側に移動するとともに、枠３１ａを表示して渋滞情報を表示するようにしたので、アイコンまたは地図情報の視認性を低下させることなく、情報を表示することが可能になる。
【００４７】
また、アイコン３１または枠３１ｃが再度操作された場合には、枠３１ｄを表示して詳細な渋滞情報を表示するようにしたので、運転者の必要に応じて情報を提示することが可能になる。また、ボタン３１ｅを表示して、渋滞を回避することが望ましい場合には、再度の検索を行うようにしたので、運転者の判断に応じてルートの変更を行うことができる。
【００４８】
なお、図１０に示す詳細な情報については、車両が走行中である場合には、表示しないようにしてもよい。また、車両が走行中である場合には、音声でこれらの情報を出力するとともに、自動的に再検索を実行するようにしてもよい。
【００４９】
つぎに、アイコン３４が操作された場合について説明する。
【００５０】
アイコン３４が操作されると、ＣＰＵ１１は、アイコン３４を表示部１８ａの中央に向けて移動させる。その結果、図１１に示すように、アイコン３４は表示部１８ａの内側に移動される。
【００５１】
つぎに、ＣＰＵ１１は、ＨＤＤ１４に登録されているショートカットに関する情報を取得し、ビデオ回路１５に供給する。その結果、ＬＣＤ１５には、図１２に示すような枠３４ａおよび枠３４ｂが表示される。枠３４ａの内部には、アイコン３４のタイトルとして「ショートカット」が表示されている。また、枠３４ｂの内部には、ショートカットボタンが複数表示されている。具体的には、駐車場を検索するボタン、テニスコートを検索するボタン、ルートを編集するボタン、地図情報の１面または２面表示を切り換えるボタン、地図情報の平面または立体表示を切り換えるボタン、画面の明・暗を切り換えるボタン、地図情報の拡大・縮小を切り換えるボタンが表示されている。このようなボタンを操作することにより、所望の操作を行うことができる。
【００５２】
このような画面では、操作が完了するか一定時間操作がされない状態が継続すると、枠３４ａおよび枠３４ｂが画面上から消去され、図１１の状態を経て図３の状態に復元する。
【００５３】
以上に示したように、アイコン３４が操作された場合には、アイコン３４が表示部１８ａの内側に移動するとともに、ショートカットボタンが配置された枠３４ｂを表示するようにしたので、アイコンまたは地図情報の視認性を低下させることなく、種々の操作を簡易に行うことができる。
【００５４】
なお、このようなショートカットについては、車両が停車中にのみ表示するようにしてもよい。
【００５５】
つぎに、アイコン３５が操作された場合について説明する。
【００５６】
アイコン３５が操作されると、ＣＰＵ１１は、アイコン３５を表示部１８ａの中心部に向けて移動させる。その結果、図１３に示すように、アイコン３５は表示部１８ａの中心部に向かって移動（斜め左上方向に移動）されるとともに、アイコン３５の全体が表示されることになる。
【００５７】
つぎに、ＣＰＵ１１は、ＨＤＤ１４に登録されているＭＰ３の操作メニューに関する情報を取得し、ビデオ回路１５に供給する。その結果、ＬＣＤ１８には、図１４に示すような枠３５ａが表示される。枠３５ａの内部には、ＭＰ３ファイルを再生するための複数のボタンおよびボックスが表示されている。具体的には、再生対象となるトラックを示すボックス、再生を停止するボタン、早送りまたは巻き戻しをするボタン、および、より大きな操作パネルを表示するためのボタンが表示されている。運転者は、これらのボタンを操作することにより、所望のＭＰ３ファイルを再生することが可能になる。
【００５８】
なお、車両が走行中である場合には、このような枠３５ａの表示を停止するか、または、一部のボタンのみを画面一杯に表示するようにしてもよい。
【００５９】
以上に説明したように、アイコン３５が操作された場合には、アイコン３５が表示部１８ａの中心部に向かって移動するとともに、枠３５ａが表示され、この枠３５ａに表示されているボタンを操作することにより、任意のＭＰ３を再生することが可能になる。
【００６０】
なお、上述の各実施の形態は、本発明の好適な例であるが、本発明は、これらに限定されるものではなく、本発明の要旨を逸脱しない範囲において、種々の変形、変更が可能である。
【００６１】
例えば、以上の各実施の形態では、ナビゲーション装置を車両に取り付ける場合を例に挙げて説明を行ったが、車両のみならず、船舶、航空機等に取り付けることも可能であることはいうまでもない。
【００６２】
また、以上の各実施の形態では、入力装置１９としてはタッチパネルを例に挙げて説明したが、タッチパネルではなく、リモートコントローラを利用することも可能である。
【００６３】
また、以上の実施の形態では、アイコン３１〜３５は丸い形状としたが、これ以外の形状であってもよい。文字だけのアイコンであってもよい。さらに、アイコン３１〜３５は、画面の上下方向に配列されているが、左右方向に配列されていてもよい。
【００６４】
また、ＬＣＤ１８の表示部１８ａにはアイコンを表示せず、ハードウエアボタンが操作された場合には、アイコンが画面上に現れて、上述の場合と同様の処理を行うようにしてもよい。
【００６５】
なお、上記の処理機能は、例えば、図１に示すようなコンピュータによって実現される。その場合、ナビゲーション装置が有すべき機能の処理内容を記述したプログラムが提供される。そのプログラムをコンピュータで実行することにより、処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ(Digital Versatile Disk)、ＤＶＤ−ＲＡＭ(Random Access Memory)、ＣＤ−ＲＯＭ(Compact Disk Read Only Memory)、ＣＤ−Ｒ(Recordable)／ＲＷ(ReWritable)などがある。光磁気記録媒体には、ＭＯ(Magneto-Optical disk)などがある。
【００６６】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００６７】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【産業上の利用可能性】
【００６８】
本発明は、表示部を有するナビゲーション装置に利用することができる。
【図面の簡単な説明】
【００６９】
【図１】本発明の実施の形態に係るナビゲーション装置の構成例を示すブロック図である。
【図２】図１に示す実施の形態におけるＬＣＤに表示される画面の一例を説明するための図である。
【図３】図１に示す実施の形態に係るナビゲーション装置の動作を説明するための表示例を示す図である。
【図４】本発明の実施の形態において、図３に示すアイコン３２を操作した場合に表示される画面の一例を示す図である。
【図５】本発明の実施の形態において、図４に続いて表示される画面の一例を示す図である。
【図６】本発明の実施の形態において、図５に示すアイコン３２または枠３２ｂを操作した場合に表示される画面の一例を示す図である。
【図７】本発明の実施の形態において、渋滞が発生した場合のアイコン３１の状態を説明するための図である。
【図８】本発明の実施の形態において、図７においてアイコン３１が操作された場合の表示例を示す図である。
【図９】本発明の実施の形態において、図８に続いて表示される画面の一例を示す図である。
【図１０】本発明の実施の形態において、図９に示すアイコン３１または枠３１ｂを操作した場合に表示される画面の一例を示す図である。
【図１１】本発明の実施の形態において、アイコン３４が操作された場合の画面の一例を示す図である。
【図１２】本発明の実施の形態において、図１１に続いて表示される画面の一例を示す図である。
【図１３】本発明の実施の形態において、アイコン３５が操作された場合の画面の一例を示す図である。
【図１４】本発明の実施の形態において、図１３に続いて表示される画面の一例を示す図である。
【符号の説明】
【００７０】
１０  ナビゲーション装置
１１  ＣＰＵ（アイコン表示手段の一部、移動手段、情報表示手段の一部、詳細情報表示手段の一部、停止手段）
１８  ＬＣＤ（アイコン表示手段の一部、情報表示手段の一部、詳細情報表示手段の一部）
【図１】
2005207976.tif 000003
【図２】
2005207976.tif 000004
【図３】
2005207976.tif 000005
【図４】
2005207976.tif 000006
【図５】
2005207976.tif 000007
【図６】
2005207976.tif 000008
【図７】
2005207976.tif 000009
【図８】
2005207976.tif 000010
【図９】
2005207976.tif 000011
【図１０】
2005207976.tif 000012
【図１１】
2005207976.tif 000013
【図１２】
2005207976.tif 000014
【図１３】
2005207976.tif 000015
【図１４】
2005207976.tif 000016